【手続補正書】
【提出日】平成17年9月12日(2005.9.12)
【手続補正１】
【補正対象書類名】明細書
【補正対象項目名】全文
【補正方法】変更
【補正の内容】
【書類名】      明細書
【発明の名称】  僧帽筋用指圧枕
【特許請求の範囲】
【請求項１】  複数の指圧用突起部を備えた僧帽筋当面部と、頭部当面部とを連設して成ることを特徴とする僧帽筋用指圧枕。
【請求項２】  使用者の僧帽筋に当接する部分に複数の指圧用突起部を備えた僧帽筋当面部と、使用者の頭部を載置する頭部当面部とを連設して成ることを特徴とする僧帽筋用指圧枕。
【請求項３】  僧帽筋当面部は、使用者の肩側から背中の下側にかけて、その高さを次第に低くしている請求項１または２に記載の僧帽筋用指圧枕。
【請求項４】  僧帽筋当面部は、略三角形状である請求項１乃至３のいずれかに記載の僧帽筋用指圧枕。
【請求項５】  複数の指圧用突起部は、使用者の背骨に当接する部分から両肩側にかけて、また、肩側から背中の下側にかけて、その高さを次第に低くしている請求項１乃至４のいずれかに記載の僧帽筋用指圧枕。
【請求項６】  頭部当面部に、丸味のある凹部を設けている請求項１乃至５のいずれかに記載の僧帽筋用指圧枕。
【請求項７】  指圧用突起部は、磁性体を備えている請求項１乃至６のいずれかに記載の僧帽筋用指圧枕。
【請求項８】  僧帽筋当面部に配した複数の指圧用突起部のうち、使用者の両肩から背骨にかけての略Ｔ字状の領域に存在する指圧用突起部に磁性体を配置している請求項７に記載の僧帽筋用指圧枕。
【発明の詳細な説明】
【０００１】
【発明の属する技術分野】
本発明は、寝ている者の僧帽筋に指圧マッサージ効果を充分にもたらすための日常生活用品である僧帽筋用指圧枕に関するものである。
【０００２】
【従来の技術】
従来の枕は、寝ている者の頭部のみを支える構造のものが一般的である。
【０００３】
【発明が解決しようとする課題】
この様に従来の枕は、寝ている者の頭部のみを支える構造であることから、高めの枕を使用すると、使用者の首が曲がって寝ながらにして俯いた状態となり、枕を使用して寝ている者の背骨が下側に丸まった猫背の状態が生じ易い。
【０００４】
また、寝ている者の首や肩側の方が後頭部の位置よりも若干高くなるような枕の構造にすると、寝ている者の背骨部分が浮いてしまい、枕の使用者に著しい不快感や違和感が生じる。
【０００５】
さらに、従来の枕は、頭部等を支えるのみであって、使用者の肩の部分から背中の下側にかけての部分を支えるものではないことから、使用者の僧帽筋の凝りを解すことができないという弊害が生じていた。
【０００６】
そこで、本発明は叙上のような従来存した諸事情に鑑み創出されたもので、枕を使用して寝ている者に不快感や違和感が生じることがなく、しかも、寝ながらにして使用者の僧帽筋の凝りを充分に解すことのできる僧帽筋用指圧枕を提供することを目的とする。
【０００７】
【課題を解決するための手段】
上述した課題を達成するため、本発明に係る僧帽筋用指圧枕は、複数の指圧用突起部を備えた僧帽筋当面部と、頭部当面部とを連設して成ることで、上述した課題を解決した。
【０００８】
また、使用者の僧帽筋に当接する部分に複数の指圧用突起部を備えた僧帽筋当面部と、使用者の頭部を載置する頭部当面部とを連設して成ることで、同じく上述した課題を解決した。
【０００９】
さらに、僧帽筋当面部は、使用者の肩側から背中の下側にかけて、その高さを次第に低くしていることで、同じく上述した課題を解決した。
【００１０】
また、僧帽筋当面部は、略三角形状であることで、同じく上述した課題を解決した。
【００１１】
加えて、複数の指圧用突起部は、使用者の背骨に当接する部分から両肩側にかけて、また、肩側から背中の下側にかけて、その高さを次第に低くしていることで、同じく上述した課題を解決した。
【００１２】
また、頭部当面部に、丸味のある凹部を設けていることで、同じく上述した課題を解決した。
【００１３】
この他、指圧用突起部は、磁性体を備えていることで、同じく上述した課題を解決した。
【００１４】
また、僧帽筋当面部に配した複数の指圧用突起部のうち、使用者の両肩から背骨にかけての略Ｔ字状の領域に存在する指圧用突起部に磁性体を配置していることで、同じく上述した課題を解決した。
【００１５】
以上のように構成された本発明に係る僧帽筋用指圧枕においては、略三角形状の僧帽筋当面部に配された複数の指圧用突起部が使用者の僧帽筋に当接することで、寝ながらにして使用者の僧帽筋の凝りを充分に解すことができる。しかも、僧帽筋当面部が使用者の背骨を下側からしっかりと支えた状態となり、使用者の背骨が下側に丸まった猫背の状態が生じることを確実に防いで、寝ながらにして使用者の正しい姿勢を確保できる。
【００１６】
そして、使用者の背骨に当接する部分から両肩側にかけて、また、肩側から背中の下側にかけて、その高さを次第に低くしている指圧用突起部は、睡眠中に使用者の肩背筋の全体に指圧マッサージ効果を充分に発揮させる。同時に、指圧用突起部がその高さを次第に低くしているため、使用者の背骨にかかる負担も緩和させている。
【００１７】
さらに、使用者の頭部の形状に対応させた丸味のある凹部を設けている頭部当面部は、使用者の頭部をやさしく支えると共に、睡眠中に使用者が寝返りを行なっても何等障害となることはない。
【００１８】
また、複数の指圧用突起部のうち、略Ｔ字状の領域に存在する指圧用突起部に配置している磁性体は、当接部分の血行を良くすると共に、使用者の両肩から背骨にかけての凝りを集中的に解すものである。
【００１９】
【発明の実施の形態】
以下に、図面を参照して本発明の一実施の形態を説明する。本発明に係る僧帽筋用指圧枕１は、使用者の僧帽筋Ｑに指圧マッサージ効果を充分にもたらす日常生活用品である
【００２０】
この僧帽筋用指圧枕１は、図１及び図２に示すように、使用者の僧帽筋Ｑに当接する僧帽筋当面部２と、使用者の頭部Ｐを載置するクッション性を備えた頭部当面部３とを連設して成る。そして、僧帽筋当面部２と頭部当面部３とから成る枕全体が、略滴形状に形成されている。
【００２１】
僧帽筋当面部２は、図３に示すように、使用者の僧帽筋Ｑに確実にフィットするよう、使用者の肩側から背中の下側にかけて、その高さが次第に低くなるように形成されている。また、僧帽筋当面部２は、図１及び図２に示すように、先が尖った略三角形状に形成されている。
【００２２】
さらに、図１及び図３に示すように、僧帽筋当面部２における使用者の僧帽筋Ｑが当接する部分には、例えば、ゴム等の弾性体による複数の指圧用突起部４を設けている。
【００２３】
また、頭部当面部３の中央には、使用者の頭部Ｐの形状に対応させた緩やかで丸味のある椀状の凹部６を設けている。この僧帽筋用指圧枕１は、夏には綿、冬にはタオル地等のカバーを掛けて使用する。
【００２４】
尚、僧帽筋用指圧枕１は、図１乃至図３に示すように、全体を長尺な略滴形状に形成しても良いし、また、図４乃至図６に示すように、全体を短尺な滴形状に形成しても良い。
【００２５】
具体的な僧帽筋用指圧枕１のサイズとしては、例えば、全長を約６０ｃｍ（頭部当面部３の長さを約３５ｃｍ、僧帽筋当面部２の長さを約２５ｃｍ）、横幅を約４５ｃｍとする。僧帽筋用指圧枕１の高さは、使用者の好みに応じて任意に設定する。
【００２６】
また、全長を約５０ｃｍ（頭部当面部３の長さを約３０ｃｍ、僧帽筋当面部２の長さを約２０ｃｍ）、横幅を約４５ｃｍとしても良い。
【００２７】
尚、僧帽筋用指圧枕１の寸法や具体的な形状は上記したものに限定されることはなく、枕として僧帽筋当面部２と頭部当面部３を備えている全てのサイズ・形状等を含むものである。
【００２８】
僧帽筋当面部２に設けた指圧用突起部４は、使用者の背骨に当接する部分から両肩側にかけて、また、肩側から背中の下側にかけて、その高さを次第に低くしている。さらに、僧帽筋当面部２の指圧用突起部４には、磁性体５である、例えば、円盤状の永久磁石（マグネット）を中央の凹所に埋め込んでいる。この磁性体５は、図１及び図２に示すように、指圧用突起部４の全てに配置しても良い。また、図４及び図５に示すように、複数の指圧用突起部４のうち、使用者の両肩から背骨にかけての略Ｔ字状の領域に存在する指圧用突起部４に磁性体５を配置しても良い。
【００２９】
尚、図３及び図６に示すように、頭部当面部３と僧帽筋当面部２を連接している部分を若干上方に突出させて、使用者の首に当接する首当て部７としても良い。また、この首当て部７にも指圧用突起部４を設けても良い。
【００３０】
この僧帽筋用指圧枕１は、どの様な素材を用いて作成しても良い。例えば、所定の布材を用いて僧帽筋用指圧枕１を中空状に形成し、僧帽筋用指圧枕１の内部にクッション材を入れても良い。また、僧帽筋用指圧枕１を密封性を備えた中空状に形成し、僧帽筋用指圧枕１の内部に空気を入れても良い。さらに、僧帽筋用指圧枕１を密封性・防水性を備えた中空状に形成し、僧帽筋用指圧枕１の内部に液体を入れても良い。また、僧帽筋用指圧枕１の全体を所定のクッション材を用いて形成しても良い。この他、僧帽筋用指圧枕１の全体を固めに形成しても良い。一方、頭部当面部３と僧帽筋当面部２と首当て部７の部分において、その固さを異ならしめても良い。例えば、頭部当面部３の部分は柔らかくし、僧帽筋当面部２の部分を固くしたり、僧帽筋当面部２と首当て部７の部分を固くしても良い。また、頭部当面部３を固くしても良い。
【００３１】
次に、以上のように構成された本発明に係る僧帽筋用指圧枕１について、使用の一例を説明する。まず、図１及び図２に示すように、通常の枕と全く同じように、使用者の頭部Ｐの形状に対応させた緩やかで丸味のある頭部当面部３の椀状の凹部６に、頭部Ｐを載せる。このとき、図３及び図６に示すように、頭部当面部３に連設している略三角形状の僧帽筋当面部２が使用者の僧帽筋Ｑに当接し、僧帽筋当面部２が使用者の僧帽筋Ｑを下側から支えることとなる。そして、磁性体５を埋め込んでいる複数の指圧用突起部４が使用者の僧帽筋Ｑに当接して、この指圧マッサージ効果によって寝ながらにして使用者の僧帽筋Ｑの凝りを充分に解す。しかも、僧帽筋当面部２が使用者の背骨を下側からしっかりと支えた状態となり、使用者の背骨が下側に丸まった猫背となる状態を回避して、寝ながらにして使用者の正しい姿勢を確保する。
【００３２】
【発明の効果】
本発明に係る僧帽筋用指圧枕１は、これを使用して寝ている者に不快感や違和感が生じることがなく、しかも、寝ながらにして使用者の僧帽筋Ｑの凝りを充分に解すことができる。特に、女性は疲れると僧帽筋Ｑが痛くなり易いが、この枕を使用して寝ることで僧帽筋Ｑの凝りが集中的に解れ、背中が非常に楽になる。
【００３３】
すなわち、本発明に係る僧帽筋用指圧枕１を使用すると、略三角形状の僧帽筋当面部２に設けた指圧用突起部４が、使用者の僧帽筋Ｑに当接することで、寝ながらにして使用者の僧帽筋Ｑの凝りを充分に解すことができる。これは、使用者自らの体重により、指圧用突起部４が使用者の僧帽筋Ｑに程良い押圧力をもって当接し、その凝りを解すのである。そして、僧帽筋当面部２が略三角形状であるため、使用者の僧帽筋Ｑに指圧用突起部４が集中的に当接して、効率良く僧帽筋Ｑの凝りを解すのである。
【００３４】
また、僧帽筋当面部２は、使用者の肩側から背中の下側に向けて、その高さを次第に低くしているため、使用者の背骨を下側からしっかりと支えた状態となり、使用者の背骨が下側に丸まった猫背の状態が生じることを確実に防ぐ。そのため、寝ながらにして使用者の正しい姿勢を確保できる。
【００３５】
そして、使用者の背骨に当接する部分から両肩側にかけて、また、肩側から背中の下側にかけて、その高さを次第に低くしている指圧用突起部４は、睡眠中において肩背筋の全体に指圧マッサージ効果を充分に発揮させる。また、指圧用突起部４がその高さを次第に低くしているため、使用者の背骨にかかる負担も緩和させている。
【００３６】
さらに、頭部Ｐの形状に対応させた緩やかで丸味のある椀状の凹部６を中央に設けている頭部当面部３は、使用者の頭部Ｐをやさしく支えると共に、睡眠中に使用者が寝返りを行なっても何等障害となることはない。
【００３７】
この他、指圧用突起部４は、磁性体５を備えていることから、磁性体５の当たっている部分の血行を良くして、指圧用突起部４による指圧マッサージ効果をより充分に発揮させる。
【００３８】
また、僧帽筋当面部２に配した複数の指圧用突起部４のうち、使用者の両肩から背骨にかけての略Ｔ字状の領域に存在する指圧用突起部４に磁性体５を配置しているときには、使用者の両肩から背骨にかけての凝りを集中的に解すものである。
【図面の簡単な説明】
【図１】
頭部当面部と僧帽筋当面部とを連設して長尺状に形成した僧帽筋用指圧枕の使用状態における斜視図である。
【図２】
頭部当面部と僧帽筋当面部とを連設して長尺状に形成した僧帽筋用指圧枕の使用状態における平面図である。
【図３】
頭部当面部と僧帽筋当面部とを連設して長尺状に形成した僧帽筋用指圧枕の使用状態における断面図である。
【図４】
頭部当面部と僧帽筋当面部とを連設して短尺状に形成した僧帽筋用指圧枕の斜視図である。
【図５】
頭部当面部と僧帽筋当面部とを連設して短尺状に形成した僧帽筋用指圧枕の平面図である。
【図６】
頭部当面部と僧帽筋当面部とを連設して短尺状に形成した僧帽筋用指圧枕の使用状態における側面図である。
【符号の説明】
Ｐ…頭部                            Ｑ…僧帽筋
１…僧帽筋用指圧枕                  ２…僧帽筋当面部
３…頭部当面部                      ４…指圧用突起部
５…磁性体                          ６…凹部
７…首当て部
【手続補正２】
【補正対象書類名】図面
【補正対象項目名】図２
【補正方法】変更
【補正の内容】
【図２】
2004166846.tif 000001